(57)【要約】【課題】従来、ピアノやギターでは、両手の指を楽器に合わせてさまざまに動かす訓練が必要である。トランペットやクラリネットでは、指の練習に加えて、アンブローシャと呼ばれる唇や舌の訓練が必要である。これらの訓練は、長期間かかるのが普通である。個々の楽器の知識や習熟を必要としない電子楽器として、五線譜を押して演奏する楽器が知られているが、更に音楽表現ができる楽器が必要である。【解決手段】２次元、あるいは３次元上の座標位置を選択することにより、音階、音の強さなどの楽音の発生と制御ができ、特別の訓練なしに演奏を可能とし、種々の音楽表現も可能にする電子楽器を提供する。【選択図】  図１
2004271783.tif 000002
【特許請求の範囲】
【請求項１】
一の領域の二次元上の押下位置情報を取得し、Ｙ軸を音階、Ｘ軸を音の強さとして楽音を発生するための情報を生成し出力する演奏操作装置を備えた電子楽器。
【請求項２】
一の領域の二次元上の押下位置情報と押下強度情報とを取得し、押下位置情報を音階、押下強度情報を音の強さとして楽音を発生するための情報を生成し出力する演奏操作装置を備えた電子楽器。
【請求項３】
一の領域の二次元上の押下位置の軌跡情報を取得し、Ｙ軸を音階として楽音を発生するための情報を生成し出力する演奏操作装置を備えた電子楽器。
【請求項４】
前記軌跡情報により楽音の制御を行うための情報を生成し出力する演奏操作装置を備えた請求項３記載の電子楽器。
【請求項５】
演奏操作装置に楽譜を表示する請求項１から請求項４いずれか記載の電子楽器。
【請求項６】
演奏操作装置の前記一の領域とは別領域の二次元上の押下位置情報を取得し、当該押下位置情報により楽器を選択して、当該選択した楽器音を発生させるための情報を生成し出力する演奏操作装置を備えた請求項１から請求項５いずれか記載の電子楽器。
【請求項７】
演奏操作装置の前記一の領域とは別領域の二次元上の押下位置情報を取得し、当該押下位置情報により奏法を選択して、当該選択した奏法による楽音を発生させるための情報を生成し出力する演奏操作装置を備えた請求項１から請求項６いずれか記載の電子楽器。
【請求項８】
演奏操作装置の前記押下位置での押下強度情報を取得し、楽音の特性を制御するための情報を生成し出力する演奏操作装置を備えた請求項１から請求項７いずれか記載の電子楽器。
【請求項９】
３次元空間上の指示座標情報を取得し、Ｙ軸を音階、Ｘ軸を音の強さをとして楽音を発生させるための情報を生成し出力する演奏操作装置を備えた電子楽器。
【請求項１０】
３次元空間上の指示座標情報を取得し、当該指示座標情報から楽音を制御するための情報を生成し出力する演奏操作装置を備えた電子楽器。
【請求項１１】
前記演奏操作装置に楽譜を表示する請求項９または請求項１０いずれか記載の電子楽器。
【請求項１２】
前記指示座標情報から、楽器を選択して、当該選択した楽器音を発生させるための情報を生成し出力する演奏操作装置を備えた請求項１０記載の電子楽器。
【請求項１３】
前記３次元空間上の指示座標情報から、奏法を選択して、当該選択した奏法による楽音を発生させるための情報を生成し出力する演奏操作装置を備えた請求項１０記載の電子楽器。
【請求項１４】
請求項１から請求項１３いずれか記載の電子楽器を構成する演奏操作装置。
【発明の詳細な説明】
【０００１】
【発明の属する技術分野】
本発明は、特定の楽器演奏に習熟していない人が容易に曲目演奏でき、かつ上達が可能な電子楽器であって、指または手で指示することが容易にできる電子楽器等に関する。
【０００２】
【従来の技術】
従来、ピアノやギターでは、両手の指を楽器に合わせて適切に動かす訓練が必要である。トランペットやクラリネットでは、指の練習に加えて、アンブローシャと呼ばれる唇や舌の訓練が必要である。これらに習熟するには、普通、長期間の訓練を必要とする。一方、個々の楽器の知識や習熟を必要としない電子楽器として五線譜を押して演奏する楽器が知られている（特許文献１参照）。特許文献１の楽器は、盤上に、線状のセンサーを楽譜の五線譜として設置し、これを押したりする事によって音楽を演奏する電子楽器であり、何等の知識も習練も必要としないで、演奏出来る。
【０００３】
【特許文献１】
特開平５−２４０２６２号公報（第１頁、第１図等）
【０００４】
【発明が解決しようとする課題】
しかし、上記従来技術において、本法は音階のみの制御で表現能力が不十分であるため、楽器演奏の楽しみに欠ける。また、訓練により能力が向上する度合いが少なく、スキルを競うことも楽器演奏の楽しみであるにも関わらず、スキル向上が十分に楽しめない。
【０００５】
また、表示されている音符の上を押下するので、演奏者の腕、手により音符が見えにくく、演奏しにくい点もある。
【０００６】
【課題を解決するための手段】
上記の課題を解決するために、本発明の電子楽器は、２次元、あるいは３次元上の座標位置を選択することにより、特別の訓練なしにある程度の演奏を可能とし、更に種々の音楽表現も可能にする電子楽器を提供できる。また、訓練により上達も期待でき、楽器演奏を真に楽しむことができる。そのために、本発明の電子楽器は、具体的には、以下の構成をとる。
【０００７】
（１）一の領域の二次元上の押下位置情報または座標情報を取得し、Ｙ軸を音階、Ｘ軸を音の強さとして楽音を発生するための情報を生成し出力する演奏操作装置を備える。
【０００８】
（２）一の領域の二次元上の押下位置情報と、押下強度情報（または押圧情報）とを取得し、押下位置情報を音階、押下強度情報を音の強さとして楽音を発生するための情報を生成し出力する演奏操作装置を備える。
【０００９】
（３）一の領域の二次元上の押下位置の軌跡情報を取得し、Ｙ軸を音階として楽音を発生するための情報を生成し出力する演奏操作装置を備える。
【００１０】
（４）上記軌跡情報により楽音の制御を行うための情報を生成し出力する演奏操作装置を備える。
【００１１】
（５）演奏操作装置に楽譜を表示する。
【００１２】
（６）演奏操作装置の上記領域とは別領域の二次元上の押下位置情報を取得し、押下位置情報により、楽器を選択して選択した楽器音を発生させるための情報や、奏法を選択して選択した奏法による楽音を発生させるための情報を生成し出力する演奏操作装置を備える。
【００１３】
（７）演奏操作装置の上記押下位置での押下強度情報を取得し、楽音の特性を制御するための情報を生成し出力する演奏操作装置を備える。
【００１４】
（８）３次元空間上の指示座標情報を取得し、Ｙ軸を音階、Ｘ軸を音の強さをとして楽音を発生させるための情報を生成し出力する演奏操作装置を備える。
【００１５】
（９）３次元空間上の指示座標情報を取得し、指示座標情報から楽音を制御するための情報を生成し出力する演奏操作装置を備える。
【００１６】
（１０）３次元空間上の指示座標情報から、楽器を選択して選択した楽器音を発生させるための情報や、奏法を選択して選択した奏法による楽音を発生させるための情報を生成し出力する演奏操作装置を備える。
【発明の実施の形態】
以下、本発明の電子楽器等の実施形態について図面を参照して説明する。なお、実施の形態において同じ符号を付した構成要素は同様の動作を行うので、再度の説明を省略する場合がある。
【００１７】
（実施の形態１）
図１は、本発明の電子楽器の演奏操作部を示す外観図である。演奏操作部１０は、液晶タッチパネル１１を備えている。液晶タッチパネル１１は、液晶表示機能を有し、図１に示すような、演奏用の五線譜、音符、休符などの各種図形やアイコン、文字などが表示される。また、タッチパネル機能を有し、指で押さえた場所を液晶タッチパネル１１上の座標情報（または、押下位置情報）として検知できる。
【００１８】
１２は、楽器選択用に設けた楽器エリアであって、バイオリンとフルートが選択できるように各選択用のボタンが表示されている。１３は、奏法エリアであって、ビブラート、トレモロ、ピッチカートが選択できるように各選択用のボタンが表示されている。曲目エリア１４には、曲番号が表示される。テンポエリア１５には、テンポが数字で表示される。楽譜エリア１６は、演奏すべき音符を表示するエリアであり、五線譜とともに、次に演奏すべき音符が少なくとも１つ表示される。図１では、２つの音符が表示されている。１７は、演奏エリアであり、五線譜が表示されている。なお、図１の奏法エリアにおいて、ビブラート、トレモロ、ピッチカートの他、トリル、レガート、サステイン、ピチカートなどの他の奏法も選択可能であっても良い。
【００１９】
演奏操作部１０の操作方法について説明する。まず、楽器エリア１２の所望の楽器名を触り楽器を選択する。次に、所望の曲目の番号が出るまで曲目エリア１４を触り、所望の番号が表示されたら指を離す。次に、奏法エリア１３を触り、ビブラートを掛けるか、トレモロを掛けるか、ピッチカートを掛けるか、などを選択する。なお、このエリアは選択しなくともよい。曲目が決まると、最初の音符と次の音符が楽譜エリア１６に表示される。テンポエリア１５を触り希望のテンポ速度が現れたら指を離す。テンポ速度の数字は、その速度に応じた拍子を数字の点滅で示す。演奏者は、音符の五線譜上の位置を見て、それと同じ五線譜上の位置を演奏エリア１７において触る。触ると演奏が開始される。演奏者は、楽譜エリア１６に表示された音符の長さにしたがって、演奏エリア１７を触ってゆく。演奏が進むにしたがって、楽譜エリア１６には、次々に音符や休符が表示される。演奏者は、その表示を見ながら、演奏エリア１７の五線譜を触ってゆく。曲の最後には、複縦線などの終わりを示す記号を表示する。楽譜エリアに表示された音符は、演奏するタイミングで、その色を変えるようにしてもよい。また、点滅の開始でその音符の演奏の開始を示してもよい。音符は、右から左方向へスクロールするようにしてもよい。
【００２０】
図２は、図１で説明した操作にしたがって、曲目選択、テンポ選択、楽器選択、奏法選択を行い、演奏操作により、選曲した楽曲を演奏する電子楽器のブロック構成図である。図２において、表示制御部２０は、上記説明した各種表示を行うための表示情報を液晶タッチパネル２１に与える。液晶タッチパネル２１は、表示制御部２０から与えられる表示情報を、液晶パネル上に表示する。液晶タッチパネル２１は、その表面の触られている位置に関してそのＸ軸、Ｙ軸の情報を生成するための情報を座標検出部２２に与える。座標検出部２２は、触られている位置を（Ｘ、Ｙ）座標情報として出力する。
【００２１】
楽譜情報記憶部２３は、複数の曲目についての音符、休符、テンポなどからなる楽譜情報を記憶している。楽譜情報のデータ構造等は問わない。曲目テンポ検出部２９は、座標検出部２２から供給される座標情報に、曲目エリア１４の座標値が含まれるかどうかを監視し、曲目エリア１４の座標値を検知すると、その触られている時間を計数し、計数時間が一定値を超えるたびに、曲目値増加情報を楽譜情報記憶部２３に与える。楽譜情報記憶部２３は、演奏曲目の曲目値を１だけ増加させ、曲目値情報を表示制御部２０に与える。表示制御部２０は、与えられた曲目値情報を、曲目エリア１４に表示する。曲目エリア１４から指を離すと、座標検出部２２から供給される座標情報から曲目エリアの座標がなくなり、曲目選択が終了する。
【００２２】
曲目テンポ検出部２９は、座標検出部２２から供給される座標情報に、テンポエリア１５の座標値が含まれるかどうかを監視し、テンポエリア１５の座標値を検知すると、その触られている時間を計数し、計数時間が一定値を超えるたびに、テンポ増加情報を楽譜情報記憶部２３に与える。楽譜情報記憶部２３は、演奏曲目のテンポ値を１だけ増加させ、テンポ情報を表示制御部２０に与える。表示制御部２０は、与えられたテンポ情報を、テンポエリア１５に表示する。座標検出部２２から供給される座標情報からテンポエリア１５の座標がなくなれば、テンポ選択が終了する。なお、テンポ情報のデータ構造は問わない。
【００２３】
楽器検出部２７は、座標検出部２２から供給される座標情報から楽器エリア１２の座標値を監視し、楽器エリア１２の座標値を検知すると、その触られている位置がどの楽器かを調べ、その位置に従って、楽器番号情報を楽音発生部２４に与える。なお、楽器番号情報のデータ構造は問わない。
【００２４】
奏法検出部２８は、座標検出部２２から供給される座標情報から奏法エリア１３の座標値を監視し、奏法器エリアの座標値を検知すると、その触られている位置がどの奏法かを調べ、その位置に従って、奏法情報を楽音発生部２４に与える。なお、奏法情報のデータ構造は問わない。
【００２５】
音階検出部２５は、座標検出部２２から供給される座標情報に演奏エリア１７の座標値が含まれるかどうかを監視し、楽器エリア１７の座標値を検知すると、その触られている位置が五線譜のどの位置かを調べ、その位置に従って、音階情報を楽音発生部２４に与える。五線譜のどの位置かは、液晶タッチパネル２１のＹ軸方向の位置により決まる。一方、演奏エリア１７のＸ軸方向の位置により、音量を制御する。このために、音量検出部２６は、座標検出部２２から供給される演奏エリア１７の座標値を監視し、演奏エリア１７の座標範囲にある場合、そのＸ軸方向の座標値の大小にしたがって、音量情報を楽音発生部２４に与える。Ｘ軸の右方向ほど音量を大きくするものとする。
【００２６】
楽音発生部２４は、与えられた楽器情報、奏法情報、音階情報、音量情報にしたがって、楽音（楽音信号）を発生する。
【００２７】
曲目選択後、最初に、演奏エリアの五線譜上を触ったタイミングを、曲目テンポ検出部２９は検出し、演奏開始情報を楽譜情報記憶部２３に与える。楽譜情報記憶部２３は、演奏開始情報を受け取ると、選曲された曲目の楽譜情報の音符情報を、選定されたテンポにしたがって、表示制御部２０に次々に与え、表示制御部２０は、与えられた音符、休符など楽譜情報を表示して行く。
【００２８】
演奏者は、楽譜エリア１６に表示される音符や休符を見ながら、演奏エリアを触って行く。楽音発生部２４は、演奏エリア１７の操作に従った楽音を発生し、音楽演奏ができることになる。演奏の途中で、楽器エリア１２や奏法エリア１３を触ると、楽器を変更したり、奏法を変更選択したりできる。演奏エリア１７において、左右の位置を変更すると音量を変えることができ、クレッシェンドやデクレッシェンドなどの表現を行うことができる。
【００２９】
以上、本実施の形態によれば、２次元の座標位置を選択することにより、特別の訓練なしにある程度の演奏を可能とし、更に種々の音楽表現も可能にする電子楽器を提供できる。また、演奏の途中で、楽器を変更したり、奏法を変更したりするなど、高度で複雑な演奏も訓練によって可能となる。
【００３０】
（実施の形態２）
図２において、楽譜情報記憶部２３は、曲目に応じて使用できる楽器をひとつあるいは複数種類用意しておき、その楽器名を、表示制御部２０を介して液晶タッチパネル２１上の楽器エリア１２に表示し、楽譜情報記憶部２３は、楽器情報を楽音発生部２４にも与えて、楽器検出部２７から与えられる楽器番号情報を元に、使用する楽器名を特定するようにしてもよい。楽譜情報記憶部２３は、曲目に応じて使用できる奏法をひとつあるいは複数種類用意しておき、その奏法名を、表示制御部２０を介して、液晶タッチパネル２１上の奏法エリア１３に表示し、楽譜情報記憶部２３は、奏法情報を楽音発生部２４にも与えて、奏法検出部２７から与えられる奏法情報を元に、使用する奏法を特定するようにしてもよい。曲目エリア１４、テンポエリア１５には、数字の「＋」、「−」指定エリアを設けて、数字の増減を選択できるようにしてもよい。曲目エリアには、選択できる曲名を複数表示し、直接的に演奏する曲名を選択するようにしてもよい。楽譜エリアには、音符や休符だけでなく、クレッシェンドやデクレッシェンドなどの表現記号を表示してもよい。オクターブを越える音域の演奏を行えるように、演奏エリアには、五線譜に加えてその上下に加線を加えて表示するのが好ましい。高音部記号に加えて低音部記号の五線譜を表示するようにしてもよい。
【００３１】
楽器エリアの楽器名を選択する際に、それらの楽器エリアの右側を触った場合、と左側を触った場合とでは、同じ楽器でもその音色を変えられるようにしてもよい。音色を明るいものから暗いものまで、触る位置により変更できるようにする。また、楽器エリアのビブラートやトレモロ奏法を選択する際に、それらの奏法エリアの右側を触った場合、ビブラートやトレモロ効果を深く、あるいは早くし、左側を触った場合は、浅く、あるいは遅くするようにしてもよい。これらは、それぞれ表示エリア内の触っている座標位置の情報を楽器検出部２７や奏法検出部２８が検出し、それらの位置情報を楽音発生部２４に与え、楽音発生部２４が、楽器の音色や、奏法の効果の程度を変更するようにすればよい。
【００３２】
通常は、演奏エリア１７を触った時間だけ楽音を発音し、手を離した場合は、楽音を消音する。消音の際にはなめらかに消音するのが好ましい。ピアノのようなパーカッシブな楽音では、演奏エリア１７を触ると楽音を発生するが、すぐに減衰を始め、手を離すと楽音を消音する。ピッチカート奏法では、演奏エリア１７を触った瞬間に楽音を発生するが、すぐに消音することになる。
【００３３】
以上、本実施の形態によれば、特別の訓練なしにある程度の演奏を可能とし、更に種々の音楽表現も可能にする電子楽器を提供できる。
【００３４】
（実施の形態３）
図３は本発明の実施の形態３を示すブロック図である。図３において、液晶タッチパネル３１は、表示機能、座標検出機能に加え、押圧検出機能を有する。押圧検出部３６は、液晶タッチパネル３１から押圧情報（または、押下強度情報）を得、楽音発生部２４に与える。演奏エリアにおいて、五線譜を触る際の押圧力を大きくすると、押圧情報が大きくなり、楽音発生部２４は、その音量を大きくする。よって、クレッシェンドやデクレッシェンドなどの音楽表現が行いやすくなる。
【００３５】
（実施の形態４）
実施の形態３において、押圧検出部３６には、座標検出部２２の情報も与えて、所定のＸ、Ｙ座標の範囲にあるときに押圧情報を楽音発生部２４に与えるようにしてもよい。所定のエリアを押さえたときの押圧情報を得ることができ、エリアに対応した楽音の制御が可能になる。このようにすれば、それぞれのエリアの操作中に押圧力を変えることにより、音の音量、楽器の音色、奏法の強度、速さを変更、調節できる。演奏中に変更することも可能である。
【００３６】
また、押圧検出部３６の押圧情報を、音階検出部２５、楽器検出部２７、奏法検出部２８に与えて、音階、楽器、奏法を操作しているときの押圧情報も各検出部から楽音発生部２４に与えるようにしてもよい。このようにすれば、それぞれの操作中に押圧力を変えることにより、音の音量、楽器の音色、奏法の強度、速さを変更、調節できる。演奏中に変更することも可能である。
【００３７】
以上、本実施の形態によれば、高度で複雑な演奏が簡単にできる。
【００３８】
（実施の形態５）
図４は、本発明の実施の形態５の電子楽器の構成ブロック図である。図４においては、音階検出部２５に代わり、軌跡検出部４５を設けている。軌跡検出部４５は、演奏エリア１７内の触っている位置の移動、すなわち、座標の変化を含む軌跡情報を検出する。座標の変化を含む軌跡情報は、通常、２以上の座標情報である。図２の音階検出部２５では、五線譜の第一線から第五線、および、第一間から第四間などのどれを触っているかにより音階を判定していた。軌跡検出部４５では、五線譜上の高さの位置を連続的に検出し、楽音発生部２４に音階情報を与える。したがって、発生される音高は、平均率の半音階だけでなくその間の音も含まれることになる。したがって、ある音階の位置から別の音階の位置まで、連続的に音高を変化させるポルタメント効果を発生させることが可能になる。また、音高を微妙に変化させることができるので、西洋音楽以外の邦楽や民俗音楽などを演奏することも可能になる。
【００３９】
なお、図２の音階検出部２５と併用し、音階を主として音階検出部２５により検出し、軌跡検出部４５では、抑えている位置の微妙な変化を検出して、ビブラート効果を与えるようにしてもよい。
【００４０】
以上、本実施の形態によれば、連続的に音高を変化させるポルタメント効果を発生させるなど、高度で複雑な演奏も容易に可能となる。
【００４１】
（実施の形態６）
上記各実施の形態では、平面状の表示デバイスを使用し、２次元上で座標情報を取得したが、３次元空間上の座標、すなわち、指示座標情報を使用してもよい。本実施の形態６では、液晶タッチパネル２１上に、楽器エリア１２、曲目エリア１４、テンポエリア１５、楽譜エリア１６、および、演奏エリア１７を、図１に示したと同様に表示する。音高については、図１で示したと同様の楽譜エリア１６の表示を見ながら、演奏エリア１７を触って選択する。
【００４２】
奏法の選択、奏法の強さや速さなどの程度、音の強さなどは、３次元上の指示座標情報により制御する。例えば、手や指の３次元空間上の位置を、カメラで撮影しておき、手の位置を画像解析により求める。例えば、Ｘ、Ｙ、Ｚの３軸に対応して３台のカメラを設置しておき、手を撮影し、３つの映像からその位置を解析することにより、３次元空間での（Ｘ、Ｙ、Ｚ）座標の情報を求めることができる。予め、奏法の選択、奏法の強さや速さなどの程度、音の強さなどを指示する制御エリアを３次元空間に設けておく。
【００４３】
画像解析により求めた（Ｘ、Ｙ、Ｚ）の指示座標情報により、手が、奏法の選択、奏法の強さや速さなどの程度、音の強さ、などのどの制御エリアにあるかを判別し、その制御エリア内のエリア中央、上下左右前後、などのどの位置にあるかを判定することにより、奏法の選択、奏法の強さや速さなどの程度、音の強さなどの制御を行う制御情報を生成、出力できる。また、演奏エリアを３次元空間内に設置し、演奏エリア内の五線譜の各位置に手や指を移動し、所定の動作を行うことにより、音階を指示するようにしてもよい。楽器エリアについても、３次元空間内に設置し、手の位置により所望の楽器を選択できる。
【００４４】
以上、本実施の形態によれば、３次元の座標位置を選択することにより、特別の訓練なしにある程度の演奏を可能とし、更に種々の音楽表現も可能にする電子楽器を提供できる。また、演奏の途中で、楽器を変更したり、奏法を変更したりするなど、高度で複雑な演奏も訓練によって可能となる。
【００４５】
（その他の実施の形態）
上記液晶タッチパネル２１上の触った位置の検出には、磁気的、電気的、音響的、光学的位置計測器などを用いることができる。あるいは、視線検出器を用いて、目がどの位置を見ているかにより触っている位置に代えて操作位置を検出してもよい。五線譜の各線の間隔は、人の指の太さより大きく、約２倍〜３倍とすれば使いやすい。
【００４６】
液晶タッチパネル２１上の押圧の検出には、タッチパネルの湾曲などの変形の計測、２層のタッチパネルの各層間の距離の計測、指や手に貼付された圧力センサ、生体電極による反力の計測、などにより押圧状態を検出するようにする。
【００４７】
演奏エリア１７を複数領域に分割し、一部の領域を奏法の制御にあててもよい。各エリアの配置は、上記各実施の形態に限定されず、種々の配置ができるし、演奏者が使いやすい配置を作ることができるようにしてもよい。また、液晶表示は、カラー表示とし、演奏者が見やすくするのがよい。また、液晶表示パネルに限らず、他の表示デバイスを使用することもできる。つまり、上記すべての実施の形態において液晶タッチパネルの代わりに、ＣＲＴ上にタッチパネルを敷設したディスプレイや他の媒体を用いても良いことは言うまでもない。
【発明の効果】
以上のように、本発明によれば、
（１）長期の練習なしに演奏できる電子楽器を提供できる。
（２）音階の選択以外にも、種々の音楽の表現が可能になる。
【図面の簡単な説明】
【図１】本発明の電子楽器に使用する演奏操作部の一実施形態の図
【図２】本発明の電子楽器の構成のブロック図
【図３】本発明の電子楽器に別の構成のブロック図
【図４】本発明の電子楽器に更に別の構成のブロック図
【符号の説明】
１０  演奏操作部
１１  液晶タッチパネル
１２  楽器エリア
１３  奏法エリア
１４  曲目エリア
１５  テンポエリア
１６  楽譜エリア
１７  演奏エリア
２０  表示制御部
２１、３１  液晶タッチパネル
２２  座標検出部
２３  楽譜情報記憶部
２４  楽音発生部
２５  音階検出部
２６  音量検出部
２７  楽器検出部
２８  奏法検出部
２９  曲目テンポ検出部
３６  押圧検出部
４５  軌跡検出部
【図１】
2004271783.tif 000003
【図２】
2004271783.tif 000004
【図３】
2004271783.tif 000005
【図４】
2004271783.tif 000006